(57)【要約】【課題】スナップ結合によらずにレンズホルダをベースに高い位置精度で固定することができるカメラモジュールを提供すること。【解決手段】撮像素子２を実装した基板１と、一対の立壁部７を有して撮像素子２を覆うように基板１上に設置されたベース３と、レンズ６を保持した鏡筒部８の周囲に箱形の基台部９を延在させているレンズホルダ５とを備え、基台部９を一対の立壁部７間に挿入してレンズホルダ５がベース３に接着固定されるカメラモジュールであって、基台部９の外壁面に設けた凹所９ａと立壁部７の内壁面に設けた凹所７ａとを前後方向にずらして対向させることにより、両凹所７ａ，９ａを連通させてなる屈曲した形状の連通空所１０を形成し、この連通空所１０内に接着剤を充填して固化させるようにした。【選択図】図２
2009115847.tif 000002
【特許請求の範囲】
【請求項１】
撮像素子を実装した基板上に設置され、前記撮像素子の前方の空間を介して対向する一対の立壁部を有するベースと、レンズを保持した鏡筒部の周囲に箱形の基台部を延在させてなるレンズホルダとを備え、前記基台部を一対の前記立壁部間に挿入して前記ベースに固定することによって前記レンズが前記撮像素子の前方の所定位置に配置されるカメラモジュールであって、
前記立壁部の内壁面に少なくとも内方へ臨出する第１の凹所を設けると共に、前記基台部の外壁面に少なくとも外方へ臨出する第２の凹所を設け、相対的に内側に配置される前記第２の凹所を外側に配置される前記第１の凹所よりも前方へずらした位置関係でこれら両凹所を対向させることにより、前記第１および第２の凹所を連通させてなる屈曲した形状の連通空所を形成し、この連通空所内に接着剤を充填して固化させたことを特徴とするカメラモジュール。
【請求項２】
請求項１の記載において、前記第１の凹所を前記立壁部の一側端部の内壁面に設けると共に、前記第２の凹所を前記基台部の隅部の外壁面に設けることにより、これら第１の凹所と第２の凹所によって側方に露出する前記連通空所を形成し、この連通空所内に金属板を嵌入させたことを特徴とするカメラモジュール。
【請求項３】
請求項１または２の記載において、前記第２の凹所を前記基台部の四隅の外壁面に設け、これら四隅を前記ベースに接着固定したことを特徴とするカメラモジュール。
【発明の詳細な説明】
【技術分野】
【０００１】
本発明は、ＣＣＤやＣＭＯＳ等の撮像素子を実装している基板上に設置されたベースにレンズホルダを組み付けることによって、このレンズホルダの鏡筒部に保持されたレンズを撮像素子の前方の所定位置に配置させているカメラモジュールに係り、特に、ベースに対するレンズホルダの固定構造に関する。
【背景技術】
【０００２】
この種のカメラモジュールでは、撮像素子を実装した基板上にベース（またはソケット）と称される部材が設置されており、このベースに設けられた一対の立壁部間に撮像素子を位置させている。また、レンズホルダは、レンズを保持した鏡筒部の周囲に箱形の基台部を延在させており、この基台部をベースの立壁部に位置合わせして固定することによって、レンズホルダとベースとが一体化されてレンズが撮像素子の前方の所定位置に配置されるようになっている。
【０００３】
このようなカメラモジュールにおいて、レンズホルダをベースに組み付けるための固定構造としては、従来、レンズホルダの基台部とベースの立壁部のいずれか一方に設けたスナップ爪を他方に設けた段部に咬合させるというスナップ結合方式が広く採用されている（例えば、特許文献１参照）。
【特許文献１】特開２００１−１８８１５５号公報
【発明の開示】
【発明が解決しようとする課題】
【０００４】
しかしながら、前述した従来技術のように、スナップ爪を段部に咬合させるスナップ結合によってレンズホルダの基台部をベースの立壁部に組み付けている固定構造では、スナップ爪を有する係止片を弾性変形させねばならないため、スナップ爪と段部とを高い位置精度で咬合させることが困難であり、両者の相対位置に僅かな誤差を見込んでおかねばならなかった。そこで従来のカメラモジュールでは、こうした寸法誤差に起因するガタを防止しつつ抜け止め強度を高めるために、スナップ爪と段部を咬合させた後に両者間に接着剤を塗布するという対策を講じることが多いが、スナップ爪と段部の相対位置が高精度に規定されていないので、レンズホルダに保持されたレンズと基板上の撮像素子との位置関係に誤差が生じやすく、光学特性を損なう要因となっていた。
【０００５】
本発明は、このような従来技術の実情に鑑みてなされたものであり、その目的は、スナップ結合によらずにレンズホルダをベースに高い位置精度で固定することができるカメラモジュールを提供することにある。
【課題を解決するための手段】
【０００６】
上記の目的を達成するため、本発明は、撮像素子を実装した基板上に設置され、前記撮像素子の前方の空間を介して対向する一対の立壁部を有するベースと、レンズを保持した鏡筒部の周囲に箱形の基台部を延在させてなるレンズホルダとを備え、前記基台部を一対の前記立壁部間に挿入して前記ベースに固定することによって前記レンズが前記撮像素子の前方の所定位置に配置されるカメラモジュールにおいて、前記立壁部の内壁面に少なくとも内方へ臨出する第１の凹所を設けると共に、前記基台部の外壁面に少なくとも外方へ臨出する第２の凹所を設け、相対的に内側に配置される前記第２の凹所を外側に配置される前記第１の凹所よりも前方へずらした位置関係でこれら両凹所を対向させることにより、前記第１および第２の凹所を連通させてなる屈曲した形状の連通空所を形成し、この連通空所内に接着剤を充填して固化させるという構成にした。
【０００７】
このように構成されたカメラモジュールにおいて、レンズホルダをベースに組み付ける際には、レンズホルダの基台部を一対の立壁部の間に挿入してベースに対し位置合わせした状態で連通空所に接着剤を充填すれば良く、この接着剤は連通空所内で第１および第２の凹所に跨がる屈曲した形状で固化するため、十分に高い抜け止め強度が得られる。また、スナップ結合するわけではないのでレンズホルダを高い位置精度でベースに対し位置合わせすることができ、それゆえ撮像素子に対するレンズの位置精度が高めやすくなる。
【０００８】
上記の構成において、第１の凹所を立壁部の一側端部の内壁面に設けると共に、第２の凹所を基台部の隅部の外壁面に設けることにより、これら第１の凹所と第２の凹所によって側方に露出する連通空所を形成し、この連通空所内に金属板を嵌入させると、この金属板を第１および第２の凹所の内壁面と係合させることができるため、接着剤と金属板の相乗効果によって抜け止め強度を大幅に向上させることができる。
【０００９】
また、上記の構成において、第２の凹所を基台部の四隅の外壁面に設け、これら四隅を前記ベースに接着固定すると、レンズホルダのベースに対する接着固定部がバランス良く分散されて、かつ前記金属板を併用することもできるため、効率良く抜け止め強度を向上させることが可能となる。
【発明の効果】
【００１０】
本発明のカメラモジュールによれば、レンズホルダをベースに組み付ける際に、レンズホルダの基台部をベースの立壁部間に挿入して両者を位置合わせした状態で連通空所に接着剤を充填すれば良く、この接着剤は連通空所内で第１および第２の凹所に跨がる屈曲した形状で固化するため、十分に高い抜け止め強度が得られる。また、スナップ結合するわけではないのでレンズホルダを高い位置精度でベースに対し位置合わせすることができ、それゆえ撮像素子に対するレンズの位置精度が高めやすくなる。
【発明を実施するための最良の形態】
【００１１】
発明の実施の形態を図面を参照して説明すると、図１は本発明の実施形態例に係るカメラモジュールの平面図、図２は該カメラモジュールの側面図、図３は該カメラモジュールの分解側面図、図４は該カメラモジュールのレンズホルダをベースに組み付ける工程を示す説明図、図５は該レンズホルダの接着固定部を示す説明図である。
【００１２】
これらの図に示すカメラモジュールは、ＣＭＯＳ等の撮像素子２を実装した基板１と、赤外線除去フィルタ４を搭載して撮像素子２を覆うように基板１上に設置されたベース３と、レンズ６を保持してベース３に固定されたレンズホルダ５とによって主に構成されている。このカメラモジュールは、基板１上にベース３を接着固定した後、ベース３にレンズホルダ５を組み付けて接着固定することによって組み立てられる。
【００１３】
ベース３には一対の立壁部７が立設されており、これら両立壁部７は撮像素子２や赤外線除去フィルタ４の前方の空間を介して対向している。立壁部７の両側端部の内壁面には、内方および側方へ臨出して前後方向（基板１の板面と直交する方向）に延びる第１の凹所７ａが形成されている。この第１の凹所７ａは前方（図３の上方）が閉端で後方（図３の下方）を開口した柱状の切欠きであるが、ベース３を基板１上に位置決め固定した段階で第１の凹所７ａの後方も閉端となる。
【００１４】
レンズホルダ５は、レンズ６を収納保持した鏡筒部８と、鏡筒部８の周囲に延在する箱形の基台部９とを備えている。基台部９の四隅の外壁面には、外方へ臨出して前後方向に延びる第２の凹所９ａが形成されている。この第２の凹所９ａは後方（図３の下方）が閉端で前方（図３の上方）を開口した柱状の切欠きである。
【００１５】
このレンズホルダ５をベース３に組み付ける際には、図４に示すように、まず基台部９を一対の立壁部７間に挿入することにより、両立壁部７間のベース３上にレンズホルダ５を位置決め状態で搭載する。これにより、赤外線除去フィルタ４が基台部９に覆われてレンズ６が撮像素子２の前方の所定位置に配置されると共に、基台部９の四隅に設けられた第２の凹所９ａがそれぞれ立壁部７に設けられた第１の凹所７ａと前後方向にずれた位置関係で対向する。すなわち、図２と図５に示すように、相対的に内側に配置される第２の凹所９ａが外側に配置される第１の凹所７ａよりも前方方向へ若干ずれた位置関係で、これら第１および第２の凹所７ａ，９ａが対向して、両凹所７ａ，９ａを連通させてなる屈曲した形状の連通空所１０が形成されることとなる。これら４箇所の連通空所１０はいずれも側方に露出しており、このうち２箇所の連通空所１０内に図５に示すような金属板１１を嵌入（図１参照）させた後、全ての連通空所１０内に接着剤１２を充填して固化させることによって、基台部９の四隅がベース３に接着固定されてレンズホルダ５の組み付け祖業が完了する。なお、図５において接着剤１２は固化後の形状を示している。
【００１６】
このように本実施形態例に係るカメラモジュールでは、レンズホルダ５をベース３に組み付ける際に、レンズホルダ５の基台部９をベース３の一対の立壁部７間に挿入して両者３，５を位置合わせした状態で連通空所１０に接着剤１２を充填すれば良く、この接着剤１２は連通空所１０内で第１および第２の凹所７ａ，９ａに跨がる屈曲した形状で固化するため、十分に高い抜け止め強度が得られる。また、スナップ結合を用いた固定構造ではないので、レンズホルダ５を高い位置精度でベース３に対し位置合わせすることができ、それゆえ撮像素子２に対するレンズ６の位置精度が高めやすくなっている。
【００１７】
また、本実施形態例では、基台部９の四隅に設けた第２の凹所９ａと一対の立壁部７の両側端部に設けた第１の凹所７ａとによって４箇所に連通空所１０を形成するという構成にしてあるため、ベース３に対するレンズホルダ５の接着固定部がバランス良く分散されていると共に、任意の連通空所１０内に金属板１１を嵌入することができて、効率良く抜け止め強度の向上が図れるようになっている。つまり、金属板１１は第１および第２の凹所７ａ，９ａの内壁面と係合させることができるため、金属板１１と接着剤１２の相乗効果によって抜け止め強度を大幅に向上させることができる。ただし、金属板１１を併用しなくても屈曲形状に固化した接着剤１２によって所要の抜け止め強度が得られるため、側方に露出しない適宜箇所で第１および第２の凹所７ａ，９ａを前後方向にずらして対向させて連通空所１０を形成することも可能である。
【００１８】
また、本実施形態例では、第１の凹所７ａを前方が閉端で後方を開口した柱状の切欠きとしてベース３の立壁部７に形成し、かつ第２の凹所９ａを後方が閉端で前方を開口した柱状の切欠きとしてレンズホルダ５の基台部９に形成しているため、ベース３やレンズホルダ５を成形するのに用いられる金型構造を単純化することができ、部品コストを低減させやすくなっている。
【図面の簡単な説明】
【００１９】
【図１】本発明の実施形態例に係るカメラモジュールの平面図である。
【図２】該カメラモジュールの側面図である。
【図３】該カメラモジュールの分解側面図である。
【図４】該カメラモジュールのレンズホルダをベースに組み付ける工程を示す説明図である。
【図５】該レンズホルダの接着固定部を示す説明図である。
【符号の説明】
【００２０】
１  基板
２  撮像素子
３  ベース
４  赤外線除去フィルタ
５  レンズホルダ
６  レンズ
７  立壁部
７ａ  第１の凹所
８  鏡筒部
９  基台部
９ａ  第２の凹所
１０  連通空所
１１  金属板
１２  接着剤
【図１】
2009115847.tif 000003
【図２】
2009115847.tif 000004
【図３】
2009115847.tif 000005
【図４】
2009115847.tif 000006
【図５】
2009115847.tif 000007